【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
液晶スメクチックA組成物であり、それを横切って異なる電場を適用することによって、第一の安定状態と、組成物がその第一の状態におけるよりも少なくしか整っていない第二の安定状態との間でスイッチングすることができ、第一および第二の状態の放射線透過特性は少なくとも一つの波長で異なり、
（A）正の誘電異方性を有し、および第一の状態にあるとき、均一に整列されたスメクチックA構造である液晶材料、
（B）液晶スメクチックA組成物において、組成物を通したイオンドーパントの移動が起こる電界にさらされるとき、ドーパントが、第一の状態のスメクチックA構造を乱すことが可能なように負の導電異方性を与え、それによって、前記少なくとも一つの第二の状態への組成物のスイッチングが引き起こされるイオンドーパント、
（C）組成物において分散された正の誘電異方性を有する光学異方性色素粒子であり、最大寸法は10nm乃至1μmの範囲にある色素粒子
を含み、
組成物は、第一の比較的安定な状態にあるとき、十分に低い周波数のACフィールドの影響の下で電気流体力学的不安定のためにスメクチック動的散乱を受けることが可能であり、それによって液晶および色素粒子が不規則化され、そしてそのために色素粒子が互いに集合するのを妨げられる、組成物。
【請求項２】
組成物は、第二の比較的安定な状態のとき、十分に高い周波数のACフィールドの影響の下で、液晶および色素粒子の規則化が可能である、請求項1に記載の液晶スメクチックA組成物。
【請求項３】
液晶および色素粒子の不規則化には、液晶および色素粒子を再配置することが含まれる、請求項1または請求項2に記載の液晶スメクチックA組成物。
【請求項４】
液晶材料（A）には、有機スメクチックA液晶、例は、8CB(4’-オクチル-4-ビフェニルカルボニトリル)または8OCB(4’-(オクチルオキシ)-4 -ビフェニルカルボニトリル)またはそれらの混合物、または無機スメクチックA液晶、例は、シロキサン側鎖を有する有機スメクチックA液晶が含まれる、請求項1乃至3のいずれか一項に記載の液晶スメクチックA組成物。
【請求項５】
成分（B）には、一般式VI、すなわち、
【化１】
2014508195.tif 000001
式中、
T=メチル基またはシリルもしくはシロキサン基、
v=1乃至30、たとえば、v=9乃至19、例は、ミリスチル（v=13、T=メチル）またはセチル（v=15およびT=メチル）、
R1、R2およびR3は、同じか、または異なっていてもよく、C1-4アルキル、例は、メチルまたはエチルであり、
Q-は、酸化的な安定イオン、特に、ClO4-イオンであるもの
の少なくとも一つの第四級アンモニウム塩が含まれる、請求項1乃至4のいずれかの一項に記載の液晶スメクチックA組成物。
【請求項６】
一般式VIのイオン性アニオン（B）は、式（VIa）、すなわち、
【化２】
2014508195.tif 000002
式中、v、R1、R2、R3およびQは、式VIに関連して請求項5において規定されるものであるものの化合物、または
式VIb、すなわち、
【化３】
2014508195.tif 000003
式中、v、R1、R2、R3およびQは、式VIに関連して請求項5において規定されるものであり、およびT’はシリルまたはシロキサン基であるもの
の化合物である、請求項5に記載の液晶スメクチックA組成物。
【請求項７】
成分（A）および（B）には、次の、すなわち、
（a）一般式I、すなわち、
【化４】
2014508195.tif 000004
式中、
p=1乃至10、例は、1乃至3、
q=1乃至12、例は、6乃至10、
t=0または1、
k=2または3、
Aは、フェニルまたはシクロヘキシル環であり、同じか、または異なっていてもよく、そしてパラ位において互いに結合され、
R=C1-3アルキル基、例は、メチルで、同じか、または異なっていてもよく、
X=C1-12アルキル基、および
Z=F、Cl、Br、I、CN、NH2、NO2、NMe2、NCS、CH3、またはOCH3、CF3、OCF3、CH2F、CHF2、特にCNであるもの
の少なくとも一つのシロキサン、
（b）一般式II、すなわち、
【化５】
2014508195.tif 000005
式中、
T=メチル基またはシリルもしくはシロキサン基、および
v=1乃至30、たとえば、v=9乃至19、例は、ミリスチル（v=13、T=メチル）またはセチル（v=15およびT=メチル）、
R1、R2およびR3は、同じか、または異なっていてもよく、C1-4アルキル、例は、メチルまたはエチルであり、
Q-は、酸化的な安定イオン、特に、ClO4-イオンであるもの
の少なくとも一つの第四級アンモニウム塩、
（c）アルキル鎖を有する少なくとも一つの分極性線状分子であり、一般式III、すなわち、
D-A’k-Y          （III）
式中、
Dは、随意に一またはそれよりも多くの二重結合を含むC1-16直鎖状アルキルまたはアルコキシ基を表し、
k=2または3、
A’は、フェニル、シクロヘキシル、ピリミジン、1,3-ジオキサン、または1,4-ビシクロ[2,2,2]オクチル環であり、各A’は、同じか、または異なっていてもよく、そしてパラ位において互いに結合され、Yに付着した端末環はフェニルであり、および
Yは、基A’kの末端環のパラ位に位置し、そしてZ（式Iに関連して上記に規定されるもの）、C1-16直鎖状アルキル、C1-16直鎖状アルコキシ、OCHF2、NMe2、CH3、OCOCH3、およびCOCH3から選ばれるものであるもの
を有する分子、および
（d）一般式IV、すなわち、
【化６】
2014508195.tif 000006
式中、
a、bおよびcは、それぞれ無関係に0乃至100の値を有し、そしてa+b+cは、範囲3乃至200、例は、5乃至20において平均値を有するようなものであり、およびaは式Y-R2SiO-[SiR2-O]aの鎖単位が一般式IVの化合物の0乃至25モルパーセントを示すようなものであり、およびcは式の鎖-[SiHR-O]c-R2SiO-Yの単位が、一般式IVの化合物の0乃至15モルパーセントを示すようなものであり、
m=3乃至20、例は、4乃至12、
t=0または1、
k=2または3、
Aは、フェニルまたはシクロヘキシル環であり、同じか、または異なっていてもよく、そして環はパラ位において互いに結合され、
R=C1-3アルキル基、例は、メチル、それらの各々は同じか、または異なっていてもよく、および
Y=C1-12アルキル基、発色団またはカラミチック（棒状）液晶基、そしてそれらの各々は同じか、または異なっていてもよく、および
Zは、式Iに関連して上記に規定されるものであるもの
の少なくとも一つの側鎖液晶ポリシロキサンが含まれ、
および成分の量および性質は、組成物が、X線回折によって検出されるようにスメクチックA層化およびシロキサン豊富な副層化を備えるように選ばれる、請求項1乃至6のいずれか一項に記載の液晶スメクチックA組成物。
【請求項８】
組成物には、重量％において、次の、すなわち、
合計で25-75％の少なくとも一つのシロキサン成分（a）、
合計で0.001-1％の少なくとも一つの第四級アンモニウム塩成分（b）、
合計で20-65％の少なくとも一つの分極性線状分子の成分（c）、
合計で2-20％、随意に5-15の成分（d）
が含まれる、請求項7に記載の液晶スメクチックA組成物。
【請求項９】
さらに、次の、すなわち、
（D）（i）粘度を変化させる一またはそれよりも多くの材料、例は、溶媒または希釈剤で、たとえば、10％までの量で存在してもよいもの
が含まれる、請求項1乃至8のいずれか一項に記載の液晶スメクチックA組成物。
【請求項１０】
さらに、添加剤（D）（ii）として、すなわち、
複屈折を変える少なくとも一つの添加剤、例は、複屈折を増加させる添加物であり、たとえば、すなわち、
【化７】
2014508195.tif 000007
式中、R=C1-10アルキル、n=0または1のもの、
【化８】
2014508195.tif 000008
式中、R=C1-10アルキル、n=0または1、Lは、水素、またはC1-3アルキルから選ばれ、およびX=CN、F、NCS、CF3、OCF3またはC1-6アルキルのもの、または、
【化９】
2014508195.tif 000009
式中、RはC1-10アルキル基であるものか、
または複屈折を低下させる少なくとも一つの添加例、たとえば、すなわち、
【化１０】
2014508195.tif 000010
式中、R=C1-10アルキル基のもの、
【化１１】
2014508195.tif 000011
式中、R=C1-10アルキル基のもの、
【化１２】
2014508195.tif 000012
式中、R=C1-10アルキル基のもの
が含まれ、
それらは組成物の合計重量の50重量％まで、例は、35または40％までの量で存在しうる、請求項1乃至9のいずれか一項に記載の液晶スメクチックA組成物。
【請求項１１】
添加剤（D）（iii）として、すなわち、
液晶スメクチックA組成物の色素分散および温度安定性を向上させるために、および/または電極上での色素粒子の蓄積を防止するために、および/またはセルの機械的安定性およびプラスチック基材の場合においての電気光学性能の安定性を向上させるために、少なくとも一つのポリマーが含まれる、請求項1乃至10のいずれか一項に記載の液晶スメクチックA組成物。
【請求項１２】
20℃および589nmでの範囲0.15乃至0.4において複屈折性を有し、および不規則化状態において不透明であり、および規則化状態においてクリアーである、請求項1乃至11のいずれか一項に記載の液晶スメクチックA組成物。
【請求項１３】
色素粒子には、吸収色素粒子、放射色素粒子またはそれらの混合物が含まれる、請求項1乃至12のいずれか一項に記載の液晶スメクチックA組成物。
【請求項１４】
色素粒子には、単一色の粒子が含まれ、または色素粒子には、色の混合物の粒子が含まれ、色には、レッド、グリーン、ブルー、オレンジ、イエロー、バイオレット、ブラウン、ホワイトまたはブラックが含まれる、請求項13に記載の液晶スメクチックA組成物。
【請求項１５】
20℃および589nmでの範囲0.07乃至0.15において複屈折性を有し、および不規則化状態において半透明であり、および規則化状態においてクリアーである、請求項1乃至11または13乃至14のいずれか一項に記載の液晶スメクチックA組成物。
【請求項１６】
一対の対向離間した電極を含み、そのうちの少なくとも一つは、光伝達性、例は、インジウムスズ酸化物電極のような透明導電性酸化物電極、カーボンナノチューブまたはグラフェンのようなカーボンナノチューブ系電極、またはナノメートル厚さを有する金属電極であり、および電極間に位置する請求項1乃至15のいずれか一項に記載の液晶スメクチックA組成物を含む、セル。
【請求項１７】
単一光学素子または複数画素化光学素子を形成する、請求項16に記載のセル。
【請求項１８】
個々にアドレス指定可能な、例は、単独で、分離して、または多重化されてアドレス指定可能な、複数画素化光学素子を形成し、それによってセルは、情報で、それがグラフィックまたはデータ文字、例は、英数字の形態であることができるものを表示することが可能にされる、請求項16に記載のセル。
【請求項１９】
電極間の間隔は、1- 100ミクロン（μｍ）、例は、5-50ミクロンの範囲にある、請求項16乃至18のいずれか一項に記載のセル。
【請求項２０】
前部および後部を有し、
前記電極対は、（1）前部に位置する透光性電極で、それを通してセルのスメクチックA組成物がユーザによって観察することができるもの、および（2）後部に位置する背部電極を含む、請求項16乃至19のいずれか一項に記載のセル。
【請求項２１】
背部電極は反射性であり、およびセルを通してその後ろに入射する放射を反射する、請求項20に記載のセル。
【請求項２２】
反射電極は、ランバートまたは鏡面反射体である、請求項21に記載のセル。
【請求項２３】
背部電極は透明であり、およびセルの背部には、セルを通して光を伝送することができる表面、例は、表面が反射性であり、およびセルを通してその後ろに入射する放射を反射するもの、または表面が光放射性で、例は、発光ダイオードであるものが含まれ、反射性または放射性表面は、随意に着色され、および/または情報を所有する、請求項20に記載のセル。
【請求項２４】
各々の電極は、剛性または可撓性でありうる基材上に支持される、請求項16乃至23のいずれか一項に記載のセル。
【請求項２５】
請求項16乃至24のいずれか一項に記載の少なくとも一つのセルを含む光学デバイス。
【請求項２６】
個々に、例は、単独で、分離して、または多重化されてアドレス指定することができる複数の画素化光学素子を含む、請求項25に記載の光学デバイス。
【請求項２７】
互いの頂部上に積層された二またはそれよりも多くのセルから構成されるスタックを含み、および各セルにおいてスメクチックA組成物は、0.08乃至0.15、例は、20℃および589nmでの0.1乃至0.13の範囲において、低複屈折性を見せるように選ばれる、請求項25または26に記載の光学デバイス。
【請求項２８】
一対の電極間に挟まれた請求項1乃至15のいずれか一項に記載の組成物が含まれるセルをスイッチングする方法であって、スイッチングは、ある状態からより一層規則化された状態までのものであり、少なくとも500Hzの比較的高い周波数を有する電極間に交流電場を適用することを含む、方法。
【請求項２９】
一対の電極間に挟まれた請求項1乃至15のいずれか一項に記載のメソゲン組成物が含まれるセルをスイッチングする方法であって、スイッチングは、ある状態からより一層不規則化された状態にまでのものであり、方法は、500Hz未満、例は、50またはそれよりも多くて500Hz未満の比較的低い周波数を有する交流電場、または電極間の非交流電場を適用することを含む、方法。